(57)【要約】【課題】  電子機器の設定を簡単に行う。【解決手段】  設定支援システム１０をデジタルカメラ１２と取扱説明書１３とから構成する。取扱説明書１３内の設定項目毎の設定手順が記載された各頁２６に、その頁に記載されている設定項目に関する情報が記憶された無線タグ３０を設ける。デジタルカメラ１２に、無線タグ３０に記憶された情報を読み取る無線タグリーダ（図示せず）を設ける。設定時にデジタルカメラ１２を頁２６の上の所定の位置に置いて、無線タグ３０に記憶された情報を読み取る。読み取られた情報に基づき、デジタルカメラ１２の操作モードとＬＣＤ２１の表示画像とが無線タグ３０に記憶された設定項目に対応しているか否かの判定を行う。対応していないと判定したときは、操作モード及びＬＣＤ２１の表示画像を項目名に対応したものに切り替えるので、電子機器の設定を簡単に行うことができる。【選択図】        図１
2005148156.tif 000002
【特許請求の範囲】
【請求項１】
各種設定を行う設定モードを含む複数の操作モードを有し、設定を行うときに各設定項目に対応した設定画面を表示する表示手段を備えた電子機器と、前記各設定項目毎の設定手順が記載された取扱説明書とからなり、
設定項目に関する情報が記憶された無線タグを前記取扱説明書内の各設定項目毎に設けるとともに、
前記無線タグ内に記憶されている前記情報を読み取る無線タグリーダと、
前記無線タグリーダに読み取られた前記情報に基づき、電子機器の前記操作モードが無線タグに記憶された設定項目に対応した設定モードに切り替えられているか否かを判定し、切り替えられていないと判定したときは、操作モードを対応した設定モードに自動的に切り替える操作モード切替手段と、
前記無線タグリーダに読み取られた前記情報に基づき、前記表示手段に無線タグに記憶された設定項目に対応した設定画面が表示されているか否かを判定し、表示されていないと判定したときは、表示手段の表示画像を対応した設定画面に自動的に切り替える表示画像切替手段とを前記電子機器に設けたことを特徴とする電子機器の設定支援システム。
【請求項２】
前記無線タグリーダは、前記電子機器の底面に設けられていること特徴とする請求項１記載の電子機器の設定支援システム。
【請求項３】
前記電子機器はデジタルカメラであり、前記無線タグリーダは前記デジタルカメラの底面に形成された三脚取付け用の三脚穴の内部に設けられていることを特徴とする請求項１または２記載の電子機器の設定支援システム。
【請求項４】
前記電子機器の側面に、前記無線タグリーダが設けられている位置を示した指標を少なくとも一つ設けたことを特徴とする請求項２または３記載の電子機器の設定支援システム。
【発明の詳細な説明】
【技術分野】
【０００１】
本発明は、設定を行うときに各設定項目に対応した設定画面を表示する表示手段を備えた電子機器の設定支援システムに関するものである。
【背景技術】
【０００２】
近年、無線データ通信の一つの手段として安価な無線タグを利用した無線タグシステムが多く利用されている。この無線タグシステムは、無線タグとホスト側に接続される無線タグリーダとからなり、無線タグリーダから送信されるマイクロ波帯の電波を無線タグが受信して応答する。また、無線タグは、無線タグリーダとの間における電波を送受信するアンテナ、及びこのアンテナにより受信した電波を電源として動作し、予め記憶しておいた固有の情報を出力するＩＣチップから構成されている。この無線タグシステムの利用例としては、例えば、特許文献１に記載されているように、無線タグを携帯するユーザが所定の撮影エリアに入場した際に、携帯している無線タグから自動的に発信される情報に基づいて特定のユーザを撮影する撮影システムや、無線ＬＡＮ（登録商標）などの無線データ通信装置を搭載できない小型の電子機器、例えばデジタルカメラなどに無線タグをデータ通信手段の代替に搭載して、その電子機器の機器情報の読取りなどに利用されている。      
【０００３】
【特許文献１】特開２００３−１１６１２７号公報（第５〜６頁）
【発明の開示】
【発明が解決しようとする課題】
【０００４】
ところで、デジタルカメラなどの電子機器は近年急速に普及しており、その操作方法は以前に比べてかなり簡単にはなっているが、依然として高齢者や電子機器の取り扱いに慣れていない人には操作が難しい。例えば、デジタルカメラを購入したときは、このカメラを撮影に使用する前に、使用者は取扱説明書を見ながら日付設定や、取得する画像の画質を調整する画質設定などの各種設定を行う必要がある。さらに、これらの設定を行うときは、デジタルカメラの液晶ディスプレイに各設定項目に対応した設定画面を表示させる必要があるが、各設定画面を表示させるまでには何段階もの操作を行わなければならない。そのため、取扱説明書内の設定手順に関する操作説明文が長くなってしまう。その結果、高齢者などは設定を行うことをあきらめてしまい、難しいから使えないという印象を持ってしまう。
【０００５】
このような問題はデジタルカメラに限定されるものでなく、デジタルビデオカメラや携帯電話などの設定を行うときに各設定項目に対応した設定画面を表示する表示手段を備えた各種電子機器でも起こるため、改善が望まれていた。
【０００６】
本発明は上記問題を解決するためのものであり、電子機器の各種設定を簡単に行えるようにした電子機器の設定支援システムを提供することを目的とする。
【課題を解決するための手段】
【０００７】
本発明の電子機器の設定支援システムは、各種設定を行う設定モードを含む複数の操作モードを有し、設定を行うときに各設定項目に対応した設定画面を表示する表示手段を備えた電子機器と、前記各設定項目毎の設定手順が記載された取扱説明書とからなり、設定項目に関する情報が記憶された無線タグを前記取扱説明書内の各設定項目毎に設けるとともに、前記無線タグ内に記憶されている前記情報を読み取る無線タグリーダと、前記無線タグリーダに読み取られた前記情報に基づき、電子機器の前記操作モードが無線タグに記憶された設定項目に対応した設定モードに切り替えられているか否かを判定し、切り替えられていないと判定したときは、操作モードを対応した設定モードに自動的に切り替える操作モード切替手段と、前記無線タグリーダに読み取られた前記情報に基づき、前記表示手段に無線タグに記憶された設定項目に対応した設定画面が表示されているか否かを判定し、表示されていないと判定したときは、表示手段の表示画像を対応した設定画面に自動的に切り替える表示画像切替手段とを前記電子機器に設けたことを特徴とする。また、前記無線タグリーダは、前記電子機器の底面に設けられていることが好ましい。
【０００８】
また、前記電子機器はデジタルカメラであり、前記無線タグリーダは前記デジタルカメラの底面に形成された三脚取付け用の三脚穴の内部に設けられていることが好ましい。さらに、前記電子機器の側面に、前記無線タグリーダが設けられている位置を示した指標を少なくとも一つ設けることが好ましい。
【発明の効果】
【０００９】
本発明の電子機器の設定支援システムは、各設定項目に対応した設定画面を表示する表示手段を備えた電子機器と、前記各設定項目毎の設定手順が記載された取扱説明書とからなり、設定項目に関する情報が記憶された無線タグを前記取扱説明書内の各設定項目毎に設けるとともに、前記電子機器に前記情報を読み取る無線タグリーダを設け、前記無線タグリーダに読み取られた情報に基づき、前記電子機器の操作モードと表示手段の表示画像とをそれぞれ無線タグに記憶されている設定項目に対応した設定モード及び設定画面に切り替えるようにしたので、高齢者や電子機器の取り扱いに慣れていない人でも取扱説明書を見ながら電子機器の設定を簡単に行うことができる。
【発明を実施するための最良の形態】
【００１０】
図１は、本発明を実施した電子機器の設定支援システム（以下、単に設定支援システムという）１０の概略図である。本実施形態では電子機器として被写体１１の画像を撮影して画像データを生成するデジタルスチルカメラ（以下、単にデジタルカメラという）１２を用いる。なお、本発明はデジタルカメラに限定されるものではない。設定システム１０は、図１に示すようにデジタルカメラ１２の他に、このデジタルカメラ１２の取扱方法や各種設定手順が項目別に記載されている取扱説明書１３から構成されている。従って、使用者は取扱説明書１３を参照してデジタルカメラ１２の各種操作や設定を行うことができる。
【００１１】
デジタルカメラ１２は、各種撮影機構が組み込まれたカメラ本体（図示せず）と、このカメラ本体を覆う本体カバー１５とから構成されている。本体カバー１５の前面には、撮影レンズ（図示せず）を保持するレンズ鏡筒１９の他にストロボ発光窓、ファインダ対物窓等が設けられている。また、上面にはレリーズボタン２０や電源ボタン（図示せず）などが設けられ、背面には液晶ディスプレイ（以下、単にＬＣＤという）２１、接眼ファインダ窓２２、ズームスイッチや十字キーなどの操作キー２３が設けられ、底面には、デジタルカメラ１３を三脚（図示せず）に取り付けるための三脚穴（雌ねじ）２４（図２参照）が設けられている。
【００１２】
ＬＣＤ２１には、撮影レンズを介して取得された画像や、設定を行うための設定画面２５が表示される。設定画面２５は日付設定や画質設定などの各設定項目ごとに異なる画面が表示される。例えば日付設定を行う設定画面２５には年月日及び時刻を入力する入力欄が表示され、画質設定を行う設定画面２５には取得する画像の画質のレベルを選択する選択欄などが表示されている。従って、設定時には詳しくは後述する方法によって、対応する設定画面２５をＬＣＤ２１に表示させる。そして、使用者は設定画面２５を見ながら操作キー２３を操作して設定画面２５内の入力欄の入力指示、或いは選択欄の選択指示等に従って設定を行う。
【００１３】
デジタルカメラ１２には、少なくとも撮影モード、再生モード、設定モードの３つの操作モードが設けられている。撮影モードが選択されているときは撮影を行うことができ、再生モードが選択されているときは撮影済みの画像の確認をすることができ、設定モードが選択されたときはＬＣＤ２１に対応する設定画面２５を表示させて、日付設定や画質設定などの各種設定を行うことができる。これらの各操作モードは操作キー２３を用いてマニュアルで切り替えることもできるが、詳しくは後述する方法によって、撮影モードや再生モードから設定モードへの切り替えを自動で行うことができる。
【００１４】
取扱説明書１３は冊子形態に製本され、上述したようにデジタルカメラ１２の取扱方法や設定手順が設定項目別に記載（印刷）されている。設定項目別の設定手順が記載された各頁２６には、設定を行うための操作説明文２７が記載されているとともに、設定時にＬＣＤ２１に表示される設定画面２５に対応した説明図２９が印刷されている。従って設定時には、取扱説明書１３の所定の頁２６を開くとともに、デジタルカメラ１２のＬＣＤ２１に、頁２６に記載されている設定項目に対応した設定画面２５を表示させることで、使用者は表示された設定画面２５と説明図２９とを対比させながら操作説明文２７に記載されている操作手順に従って日付設定を行うことができる。
【００１５】
従来のデジタルカメラで例えば日付設定を行う場合には、カメラの操作モードを設定モードを切り替えて、ＬＣＤ２１に設定メニュー（図示せず）等を表示させるとともに、この設定メニューの中から日付設定を選択することにより、日付設定に対応した設定画面２５を表示させているが、この設定画面２５を表示させるまで一連の操作はマニュアルで行われるため、高齢者や電子機器の取り扱いに慣れていない人には難しく感じられてしまう。そのため、本発明では取扱説明書１３の前記各頁２６に、その頁に記載されている設定項目に関する情報を記憶しておく。なお、本実施形態では、この設定項目に関する情報として、例えば設定項目の項目名情報を記憶しておく。そして、設定時には、デジタルカメラ１２で記憶された項目名情報を読み取り、デジタルカメラ１２の操作モードを設定モードに切り替えるとともに、ＬＣＤ２１に対応する設定画面２５を自動的に表示させる。その結果、カメラの操作モードを切り替えたり、設定時に対応する設定画面２５を表示させる手間を省くことができる。なお、設定項目に関する情報は項目名情報に限定されるものではなく、各設定項目の種類を判別できるものであればよい。
【００１６】
設定項目名情報を記憶する記憶手段としては、取扱説明書１３の各頁２６に設けるため薄型、且つ記録された情報を読み取り易いものが好ましい。従って、本発明では、前記記憶手段として無線タグ３０を各頁２６上に設けるとともに、各無線タグ３０にその頁２６に記載されている設定項目の項目名情報を記憶させておく。例えば日付設定に関する設定手順が記載されている頁２６には、「日付設定」という項目名情報が記憶された無線タグ３０が設けれている。なお、本実施形態では、無線タグ３０を各頁２６上に設けたが、本発明はこれに限定されるものではなく、例えば各頁２６内に埋め込んでもよい。
【００１７】
無線タグ３０は、周知のように、電磁波を媒体にして交信可能な小型の非接触型ＩＣメモリであり、図示は省略するが情報を記憶するＩＣメモリチップと、このＩＣメモリチップに外部から無線によりアクセスできるように電磁波を送受信するアンテナ部とから構成される。無線タグ３０は、無線により各種の認証を行うＲＦＩＤ（Radio Frequency Identification）システムの構成要素として広く普及しつつあり、ＲＦＩＤタグや電子荷札などとも呼ばれる。この無線タグ３０のサイズは、数ｍｍ四方程度の大きさで、厚みもコンマ数ｍｍ程度であるため、各頁２６上に取り付けても邪魔にはならない。
【００１８】
デジタルカメラ１２には、無線タグ３０と交信して無線タグ３０内の情報を読み取る読取手段として、図２に示すように無線タグリーダ３５が前記三脚穴２４の内部に設けられている。既存の三脚穴２４の内部に無線タグリーダ３５を設けることで、新たに本体カバー１５上に読取用の開口を形成する必要がなくなるとともに、省スペース化することができる。
【００１９】
無線タグ３０と無線タグリーダ３５との間の通信方式としては、マイクロ波型、電磁誘導型など各種の方式がある。無線タグの交信可能距離は、通信方式や電磁波の強弱によって異なるが、おおよそ数ｍｍ程度〜数十センチ程度の範囲である。ＩＣメモリチップとしては、記憶保持動作に給電が不要な不揮発性メモリが使用される。ＩＣメモリチップに書き込まれた情報を読み取る場合など、無線タグ３０を動作させるための電力は、このタグ内の情報を読み取る無線タグリーダ３５側から送信される電磁波をキャリアとして供給される。従って、デジタルカメラ１２の三脚穴２４が無線タグ３０の上に重なるように、このデジタルカメラ１２を各頁２６上に置くことで、無線タグリーダ３５は各無線タグ３０内に記録されている項目名情報を読み取ることができる。
【００２０】
本実施形態では、無線タグリーダ３５はデジタルカメラ１２の底面の三脚穴２４の内部に設けられているため、使用者が無線タグリーダ３５の設置されている位置を正確に把握することは難しい。その結果、無線タグリーダ３５と無線タグ３０との位置が合うように、デジタルカメラ１２を頁２６の上に置くことが難しくなってしまう。そのため、デジタルカメラ１２の背面に、無線タグリーダ３５の前記カメラ本体の幅方向の位置を示した指標３７を印刷しておく。これにより、使用者はデジタルカメラ１２の底面にある三脚穴２４及びその内部に設けられた無線タグリーダ３５の前記幅方向の位置を知ることができる。さらに、図１に示すように、各頁２６上に、無線タグリーダ３５と無線タグ３０との位置が合うようにデジタルカメラ１２を置いたときの指標３７の位置を示した第２の指標３８と、そのときのデジタルカメラ１２の位置を点線で表した設置位置３９とを印刷しておく。これにより、指標３７を指標３８に合わせるように、或いはデジタルカメラ１２を設置位置３９に合わせるように頁２６の上に置くだけで、無線タグリーダ３５と無線タグ３０との位置を合わせることができる。その結果、位置合わせの手間を省くことができる。なお、本実施形態では、指標３７は使用者が確認し易いように本体カバー１５の背面に印刷されているが、本発明はこれに限定されるものではなく、本体カバー１５の両側面や正面などの底面と接する面に印刷してもよい。さらに、背面及び両側面、または底面と接する全ての面に指標３７を印刷してもよい。ここで、両側面に印刷された指標３７は、無線タグリーダ３５のカメラ本体の奥行き方向の位置を示す。
【００２１】
無線タグリーダ３５の読取範囲は、上述したように数ｍｍ程度〜数十センチ程度になる。そのため、取扱説明書１３が冊子形態であると、項目名情報の読取時に次頁以降に設けられている無線タグ３０内の項目名情報を無線タグリーダ３５が誤読してしまう畏れがある。そのため、各頁２６毎に無線タグ３０の取付位置をずらすことが好ましい。また、各頁２６の裏面に、無線タグリーダ３５から送信される電磁波を遮断する電磁波シールド材を貼り付けたり、或いは頁内に埋め込んでもよい。これにより、無線タグリーダ４５の誤読を防ぐことができる。
【００２２】
次に、設定支援システム１０の電気的な構成を図３に示したブロック図を用いて説明する。図３に示すようにデジタルカメラ１２には、上述したＬＣＤ２１、操作キー２３、無線タグリーダ３５の他に、撮影レンズ４０、ＣＣＤイメージセンサ（以下、単にＣＣＤという）４１、Ａ／Ｄ変換器４２、システムコントローラ４３、ＲＯＭ４４、ＲＡＭ４５、メモリカード４６、設定データ記憶メモリ４７などが設けられている。
【００２３】
撮影レンズ４０の後方に配置されたＣＣＤ４１は、レリーズボタン２０（図１参照）が押下されたときに、その受光面に結像した画像をアナログ撮像信号に変換する。このアナログ撮像信号は、Ａ／Ｄ変換器４２によりデジタルな画像データに変換される。なお、この画像データは、各画素毎にＲ、Ｇ、Ｂの濃度を示す信号を持つＣＣＤーＲＡＷデータである。ＣＣＤ４１は、レリーズボタン２０が押下されたときに、メモリカード４６へ記録する本画像データとともに、撮影直後に画像をＬＣＤ２１に自動再生表示するための再生表示用画像データの撮り込みを行う。再生表示用画像データは、後述する信号処理回路５２で簡単な画像処理が施された後、ＬＣＤ２１に数秒間表示される。
【００２４】
システムコントローラ４３は、操作キー２３からの入力信号に基づいてデジタルカメラ１２の各部を制御する。また、システムコントローラ４３は、信号処理回路５０、画像圧縮回路５１等を備えており、撮影画像データに対して各種の画像補正処理を施す。さらに、システムコントローラ４３には、無線タグリーダ３５、ＲＯＭ４４、ＲＡＭ４５、メモリカード４６（メモリＩＦ及びカードスロットは図示を省略する）、設定データ記憶メモリ４７等が接続されている。
【００２５】
ＲＯＭ４４には、各種制御用のプログラムや、設定時にＬＣＤ２１に表示させる各設定項目毎の設定画面データなどが記憶されている。システムコントローラ４３は、これらのプログラムや設定画面データをＲＯＭ４４から作業用メモリであるＲＡＭ４５に読み出して各種の処理を実行する。また、ＲＡＭ４５には、Ａ／Ｄ変換器４２によりデジタル化された画像データが一旦記憶される。
【００２６】
ＲＯＭ４４に記憶された各設定画面２５を、上述した従来のデジタルカメラのように操作キー２３を操作してマニュアルで表示させることもできるが、本実施形態では、取扱説明書１３内の無線タグに記憶されている項目名情報に基づいて、対応する設定画面２５をＬＣＤ２１に表示させる。例えば日付設定時に、デジタルカメラ１２を日付設定の操作手順が記載されている頁２６上の指定位置に置くと、無線タグ３０内の「日付設定」という項目名情報が読み取られる。読み取られた項目名情報は、図示しないＡ／Ｄ変換器により項目名データにデジタル化されてからシステムコントローラ４３に入力される。システムコントローラ４３は入力された項目名データから使用者が取扱説明書１３の日付設定の設定手順が記載されている頁２６を開いていると判定するとともに、現在のデジタルカメラ１２の操作モードが設定モードになっているか否か、及びＬＣＤ２１に日付設定に対応した設定画面２５が表示されているか否かの判定を行う。そして、操作モードが設定モード以外になっていると判定したときは、デジタルカメラ１２の操作モードを自動的に設定モードに切り替える。さらに、ＬＣＤ２１に日付設定に対応した設定画面２５以外の設定画面や再生画像等が表示されていると判定したときは、ＬＣＤ２１の表示画像を日付設定に対応した設定画面２５に自動的に切り替える。操作モード及びＬＣＤ２１の表示画像の切り替えが自動的に行われるため、使用者は対応する頁２６に記載されている操作説明文２７及び説明図２９に従って日付情報を入力するだけでよい。
【００２７】
設定データ記憶メモリ４７は不揮発性のＥＥＰＲＯＭ（Electrically Erasable Programmable Read-Only Memory)であり、設定時に使用者により入力された各設定情報が設定データとして記憶される。例えば、日付設定時には年月日及び時間等の日付データが記憶され、画質設定時には取得された画像データに施される画像処理や圧縮処理の処理条件データなどが記憶される。設定データ記憶メモリ４７に記憶された各設定データは、再度使用者により新しい設定データに書き換えられない限り、デジタルカメラ１２の電源をオフにしてもそのまま保存される。そのため、デジタルカメラ１２の電源をオンオフする度に同じ設定を行う必要はない。
【００２８】
信号処理回路５０は、ＲＡＭ４５に記憶された画像データに対して、ホワイトバランス調整、γ補正、シャープネス補正などの各種画像処理を施した後に、ＲＧＢで表される画像データを輝度データＹと色差データＣｒ，Ｃｂとに変換するＹＣ処理を施す。画像圧縮回路５１は、この変換された画像データに対して、所定の圧縮形式（例えばＪＰＥＧ形式）で画像圧縮を施す。圧縮された画像データは前記メモリＩＦ等を経由してメモリカード４６に記録される。
【００２９】
次に本実施形態の作用を図４を用いて説明する。デジタルカメラ１２の各設定を行う際には、まず、取扱説明書１３内の各設定手順が記載された頁２６を開く。例えば日付設定を行うときには、日付設定に対応した頁２６を開く。次いで、デジタルカメラ１２の電源をオンにしてから、本体カバー１５の背面に印刷された指標３７と頁２６上に印刷された指標３８と合わせるように、或いは設置位置３９に合わせるように、デジタルカメラ１２を頁２６の上に置く。これにより、前記三脚穴２４の内部に設けられた無線タグリーダ３５と無線タグ３０との位置を簡単に合わせることができる。
【００３０】
無線タグ３０が無線タグリーダ３５との交信可能域内に入ると、無線タグリーダ３５側から送信される電磁波をキャリアとして無線タグ３０が動作を開始する。そして、無線タグ３０は、前記ＩＣメモリチップに予め記憶された項目名情報「日付設定」を前記アンテナ部から発信する。これにより、無線タグリーダ３５は、無線タグ３０内に記憶されている項目名情報を読み取ることができる。読み取られた項目名情報は、項目名データにデジタル化された後にシステムコントローラ４３に入力される。
【００３１】
システムコントローラ４３は入力された項目データから使用者が取扱説明書１３内の日付設定の操作手順が記載されている頁２６を開いていると判定する。また、システムコントローラ４３は現在のデジタルカメラ１２の操作モードとＬＣＤ２１の表示画像とが、それぞれ設定モード及び日付設定に対応した設定画面２５になっているか否かの判定を行う。そして、システムコントローラ４３は、操作モードが設定モード以外になっていると判定したときは、カメラの操作モードを自動的に設定モードに切り替える。さらに、システムコントローラ４３は、ＬＣＤ２１に日付設定に対応した設定画面２５以外の設定画面や再生映像等が表示されていると判定したときは、ＲＯＭ４４から日付設定に対応した設定画面データを読み込んで、ＬＣＤ２１の表示画像を日付設定に対応した設定画面２５に自動的に切り替える。デジタルカメラ１２の操作モードとＬＣＤ２１の表示画像とが自動的に切り替るため、設定を行う際の操作が容易になる。
【００３２】
日付設定に対応した設定画面２５がＬＣＤ２１に表示されたら、使用者は、この設定画面２５と、頁２６に印刷されている説明図２９とを対比させながら、操作説明文２７に記載されている操作手順に従って設定を行う。設定画面２５と、操作説明文２７及び説明図２９との内容が一致しているため、高齢者や電子機器の操作になれていない人でも簡単に設定を行うことができる。そして、使用者により設定（入力）された日付データは設定データ記憶メモリ４７に記憶される。なお、日付設定が完了して、引き続き画質設定などの他の設定を行う場合には、上述の処理を繰り返して行えばよい。
【００３３】
なお、本実施形態では、無線タグリーダ３５を三脚穴２４の内部に設けたが、本発明はこれに限定されるものではなく、例えば本体カバー１５の任意の箇所に読取用の開口を形成し、その開口の内部に無線タグリーダ３５を設けてもよい。ただし、この無線タグリーダ３５を三脚穴２４以外の箇所に設ける場合には、無線タグ３０に記憶されている情報を読み取り易いように、読取用の開口を本体カバー１５の底面に形成することが好ましい。      
【００３４】
また、本実施形態では、取扱説明書１３内の各設定手順が記載されている頁２６には、設定時にＬＣＤ２１に表示される設定画面に対応した説明図２９と、設定を行うための操作説明文２７とが印刷されているが、本発明はこれに限定されるものではなく、設定が容易なものに関しては、説明図２９或いは操作説明文２７のいずれか一方だけが印刷（記載）されていてもよい。さらに、本実施形態の取扱説明書１３は冊子形態になっているが、本発明はこれに限定されるものでなく、例えば、一枚の印刷物を折り畳んだリーフレットなどの冊子形態とは異なる形態であってもよい。この場合には、設定項目毎の設定手順が記載された各箇所に、対応する設定項目に関する情報が記憶された無線タグ３０を設ければよい。
【００３５】
また、本実施形態のデジタルカメラ１２は、日付設定や画質設定などの各種設定を一つの設定モードで行えるようにしたが、本発明はこれに限定されるものではなく、設定の種類に応じて設定モードを、例えば日付設定モードや画質設定モード等に分けてもよい。この場合には、無線タグ３０から読み取った項目名情報などの設定項目に関する情報に基づき、デジタルカメラ１２の操作モードを対応する各設定モードに切り替えればよい。
【００３６】
なお、本実施形態ではデジタルカメラ１２の設定について説明したが、本発明はデジタルカメラ１２に限定されるものではなく、携帯電話、ＰＤＡ(Personal Digital Assistant)などの各設定項目に対応した設定画面を表示する表示手段を備えた各種電子機器の設定に本発明を適用することができる。この場合においても、各電子機器の取扱説明書の設定項目毎の設定手順が記載された各頁に、その頁に記載されている設定項目に関する情報が記憶された無線タグを設けるともに、各電子機器に無線タグに記憶された情報を読み取る無線タグリーダを設ければよい。
【図面の簡単な説明】
【００３７】
【図１】本発明を実施した電子機器の設定支援システムを示した概略図である。
【図２】同設定支援システムのデジタルカメラの背面斜視図である。
【図３】同設定支援システムの電気構成を示したブロック図である。
【図４】同設定支援システムで、デジタルカメラの設定を行う際の手順を示したフロー図である。
【符号の説明】
【００３８】
１０  設定支援システム
１２  デジタルカメラ
１３  取扱説明書
１５  本体カバー
２１  ＬＣＤ
２３  操作キー
２４  三脚穴
２５  設定画面
２６  頁
２７  操作説明文  
２９  説明図
３０  無線タグ
３５  無線タグリーダ
３７  指標
４３  システムコントローラ
【図１】
2005148156.tif 000003
【図２】
2005148156.tif 000004
【図３】
2005148156.tif 000005
【図４】
2005148156.tif 000006